(57)【要約】【課題】プロジェクタ本体および画像出力装置が相対回転した場合においても、使用者が容易に表示画像を投射面全体に表示させるための光学像の画角調整をすることができるプロジェクタの提供。【解決手段】プロジェクタ１は、プロジェクタ本体２と、ＤＶＤプレーヤー３と、プロジェクタ本体２およびＤＶＤプレーヤー３の回転位置を検出するためのスイッチ６１Ａ，６１Ｂとを備える。プロジェクタ本体２は、制御手段２７を備え、制御手段２７は、画角制御部２７２を備える。画角制御部２７２は、スイッチ６１Ａ，６１Ｂによる検出結果に応じて、投射レンズ２２から射出される光学像の画角を、プロジェクタ１およびスクリーンＳｃの間の距離が遠い場合に光学像の画角が小さくなり、近い場合に光学像の画角が大きくなるように調整させる。【選択図】図５
2009025446.tif 000002
【特許請求の範囲】
【請求項１】
光源から射出された光を、入力される画像情報に応じて変調して光学像を形成する光変調装置と、形成した光学像を拡大投射する投射光学装置とを備えるプロジェクタ本体と、前記プロジェクタ本体に前記画像情報を出力する画像出力装置と、前記プロジェクタ本体および前記画像出力装置を相対回転可能に連結させる連結機構とを備えるプロジェクタであって、
前記プロジェクタ本体および前記画像出力装置の回転位置を検出するための回転位置検出手段と、
前記投射光学装置から射出される前記光学像の画角を調整する画角調整手段と、
当該プロジェクタを制御する制御手段とを備え、
前記制御手段は、
前記回転位置検出手段による検出結果に応じて、前記光学像の画角を前記画角調整手段に調整させる画角制御部を備えることを特徴とするプロジェクタ。
【請求項２】
請求項１に記載のプロジェクタにおいて、
前記画像出力装置には、当該画像出力装置に対する操作をするための操作部が設けられ、
前記回転位置検出手段は、前記プロジェクタ本体および前記画像出力装置の回転位置において、前記投射光学装置および前記操作部が同側となる第１投射位置と、当該投射光学装置および当該操作部が反対側となる第２投射位置とを検出することを特徴とするプロジェクタ。
【請求項３】
請求項２に記載のプロジェクタにおいて、
前記画角制御部は、
前記回転位置検出手段により、前記プロジェクタ本体および前記画像出力装置が第１投射位置にあると検出されたときに最小となり、第２投射位置にあると検出されたときに最大となるように、前記光学像の画角を前記画角調整手段に調整させることを特徴とするプロジェクタ。
【請求項４】
請求項１から請求項３のいずれかに記載のプロジェクタにおいて、
前記投射光学装置は、当該投射光学装置の光軸方向に沿って移動することで、前記光学像の画角を調整するズームレンズを備え、
前記画角調整手段は、
前記ズームレンズを移動させることで、前記光学像の画角を調整することを特徴とするプロジェクタ。
【請求項５】
光源から射出された光を、入力される画像情報に応じて変調して光学像を形成する光変調装置と、形成した光学像を拡大投射する投射光学装置とを備えるプロジェクタ本体と、前記プロジェクタ本体に前記画像情報を出力する画像出力装置と、前記プロジェクタ本体および前記画像出力装置を相対回転可能に連結させる連結機構とを備えるプロジェクタの制御方法であって、
前記プロジェクタ本体および前記画像出力装置の回転位置を検出するための回転位置検出手段による検出結果に応じて、前記光学像の画角を調整させる画角制御ステップを実行することを特徴とするプロジェクタの制御方法。
【発明の詳細な説明】
【技術分野】
【０００１】
本発明は、プロジェクタおよび制御方法に関する。
【背景技術】
【０００２】
従来、光源から射出された光を、入力される画像情報に応じて変調して光学像を形成する光変調装置と、形成した光学像を拡大投射する投射光学装置とを備えるプロジェクタ本体と、このプロジェクタ本体に画像情報を出力する画像出力装置とを備え、プロジェクタ本体および画像出力装置が相対回転可能に構成されるプロジェクタが知られている（例えば、特許文献１参照）。
特許文献１に記載のプロジェクタでは、ＤＶＤ（Digital Versatile Disk）再生部（画像出力装置）の上方に設けられた連結部を介して投射部（プロジェクタ本体）が連結され、ＤＶＤ再生部に対して投射部が相対回転可能に構成されている。これにより、プロジェクタの使用者は、ＤＶＤ再生部におけるＤＶＤ挿入口などの操作部が設けられた面を自身の方向に向けてプロジェクタを設置し、プロジェクタ本体による光学像の投射方向をスクリーン等の投射面の方向に向けて使用することができる。
【０００３】
ところで、このようなプロジェクタを、画像出力装置における操作部と、プロジェクタ本体における投射光学装置とが同側となる回転位置（以下、第１投射位置とする）において使用する場合、使用者は、操作部にて画像出力装置の操作をするために、プロジェクタを自身の後方に設置する。また、プロジェクタを、画像出力装置における操作部と、プロジェクタ本体における投射光学装置とが反対側となる回転位置（以下、第２投射位置とする）において使用する場合、使用者は、操作部にて画像出力装置の操作をするために、プロジェクタを自身の前方に設置する。すなわち、プロジェクタおよび投射面の間の距離は、第１投射位置で使用する場合には遠くなり、第２投射位置で使用する場合には近くなる。
【０００４】
【特許文献１】特開２００５−９９６１７号公報
【発明の開示】
【発明が解決しようとする課題】
【０００５】
しかしながら、プロジェクタおよび投射面の間の距離が変わると、投射光学装置から射出される光学像の画角が同じ場合には、投射面上に表示される表示画像のサイズが変わるので、使用者は、投射面全体に表示画像を表示させるための光学像の画角調整に手間がかかるという問題がある。
【０００６】
本発明の目的は、プロジェクタ本体および画像出力装置が相対回転した場合においても、使用者が容易に表示画像を投射面全体に表示させるための光学像の画角調整をすることができるプロジェクタおよび制御方法を提供することにある。
【課題を解決するための手段】
【０００７】
本発明のプロジェクタは、光源から射出された光を、入力される画像情報に応じて変調して光学像を形成する光変調装置と、形成した光学像を拡大投射する投射光学装置とを備えるプロジェクタ本体と、前記プロジェクタ本体に前記画像情報を出力する画像出力装置と、前記プロジェクタ本体および前記画像出力装置を相対回転可能に連結させる連結機構とを備えるプロジェクタであって、前記プロジェクタ本体および前記画像出力装置の回転位置を検出するための回転位置検出手段と、前記投射光学装置から射出される前記光学像の画角を調整する画角調整手段と、当該プロジェクタを制御する制御手段とを備え、前記制御手段は、前記回転位置検出手段による検出結果に応じて、前記光学像の画角を前記画角調整手段に調整させる画角制御部を備えることを特徴とする。
【０００８】
ここで、画角調整手段は、例えば、投射光学装置を構成するズームレンズの位置を移動させる、いわゆる光学ズームにて光学像の画角調整をするように構成することができる。なお、この場合においては、光変調装置の画像形成領域全体にて変調される光を光学像とする。
また、画角調整手段は、例えば、画像情報を拡大または縮小させて光変調装置に入力する、いわゆる電子ズームにて光学像の画角調整をするように構成することができる。なお、画像情報を縮小させる際には、縮小させた画像情報の周囲に、黒色画像を表示させるための黒色画像情報を挿入する。この場合には、この黒色画像情報に応じて光を変調する領域を除く光変調装置の画像形成領域にて変調される光を光学像とする。
【０００９】
このような構成によれば、プロジェクタは、回転位置検出手段による検出結果に応じて、光学像の画角を調整させる画角制御部を備えるので、例えば、画角制御部は、プロジェクタおよび投射面の間の距離が遠い場合に光学像の画角が小さくなり、近い場合に光学像の画角が大きくなるように画角調整手段に調整させることができる。したがって、使用者は、光学像の画角調整をする手間を省くことができ、プロジェクタ本体および画像出力装置が相対回転した場合においても、容易に表示画像を投射面全体に表示させるための光学像の画角調整をすることができる。
【００１０】
本発明では、前記画像出力装置には、当該画像出力装置に対する操作をするための操作部が設けられ、前記回転位置検出手段は、前記プロジェクタ本体および前記画像出力装置の回転位置において、前記投射光学装置および前記操作部が同側となる第１投射位置と、当該投射光学装置および当該操作部が反対側となる第２投射位置とを検出することが好ましい。
【００１１】
ここで、前述したように、プロジェクタおよび投射面の間の距離は、第１投射位置で使用する場合には遠くなり、第２投射位置で使用する場合には近くなる。
このような構成によれば、回転位置検出手段は、第１投射位置および第２投射位置を検出するので、例えば、画角調整手段は、プロジェクタ本体および画像出力装置が第１投射位置にあると検出されたときに小さくなるように、また、第２投射位置にあると検出されたときに大きくなるように光学像の画角を画角調整手段に調整させることができる。したがって、プロジェクタ本体および画像出力装置が相対回転した場合においても、使用者は、容易に表示画像を投射面全体に表示させるための光学像の画角調整をすることができる。
【００１２】
本発明では、前記画角制御部は、前記回転位置検出手段により、前記プロジェクタ本体および前記画像出力装置が第１投射位置にあると検出されたときに最小となり、第２投射位置にあると検出されたときに最大となるように、前記光学像の画角を前記画角調整手段に調整させることが好ましい。
【００１３】
このような構成によれば、プロジェクタ本体および画像出力装置が第１投射位置にあると検出されたときに光学像の画角が最小となるので、投射面上に表示される表示画像は、最も小さい表示画像となる。したがって、使用者は、表示画像を見ながら光学像の画角をわずかに大きくするだけで容易に表示画像を投射面全体に表示させることができる。
また、プロジェクタ本体および画像出力装置が第２投射位置にあると検出されたときに光学像の画角が最大となるので、投射面上に表示される表示画像は、最も大きい表示画像となる。したがって、使用者は、表示画像を見ながら光学像の画角をわずかに小さくするだけで容易に表示画像を投射面全体に表示させることができる。
したがって、プロジェクタ本体および画像出力装置が相対回転した場合においても、使用者は、容易に表示画像を投射面全体に表示させるための光学像の画角調整をすることができる。
【００１４】
本発明では、前記投射光学装置は、当該投射光学装置の光軸方向に沿って移動することで、前記光学像の画角を調整するズームレンズを備え、前記画角調整手段は、前記ズームレンズを移動させることで、前記光学像の画角を調整することが好ましい。
このような構成によれば、電子ズームにて光学像の画角を調整させる場合と比較して、光変調装置の画像形成領域全体を有効に利用することができる。すなわち、電子ズームによると、入力される画像情報を拡大または縮小することにより、光変調装置の画像形成領域全体における光学像の形成領域の画像サイズを変更させて光学像の画角調整をさせるので、投射面上に表示される表示画像は解像度が低くなる。しかしながら、本発明によれば、光学ズームにて光学像の画角調整をさせるので、光変調装置の画像形成領域全体にて光学像を形成することができ、投射面上に表示される表示画像の解像度を高くすることができる。
【００１５】
本発明のプロジェクタの制御方法は、光源から射出された光を、入力される画像情報に応じて変調して光学像を形成する光変調装置と、形成した光学像を拡大投射する投射光学装置とを備えるプロジェクタ本体と、前記プロジェクタ本体に前記画像情報を出力する画像出力装置と、前記プロジェクタ本体および前記画像出力装置を相対回転可能に連結させる連結機構とを備えるプロジェクタであって、前記プロジェクタ本体および前記画像出力装置の回転位置を検出するための回転位置検出手段による検出結果に応じて、前記光学像の画角を調整させる画角制御ステップを実行することを特徴とする。
このような構成によれば、前述したプロジェクタの作用効果と同様の作用効果を享受することができる。
【発明を実施するための最良の形態】
【００１６】
以下、本発明の一実施形態を図面に基づいて説明する。
〔プロジェクタの概略構成〕
図１は、プロジェクタ１を前方側から見た斜視図であり、図２は、プロジェクタ１を後方側から見た斜視図である。図３は、プロジェクタ１を前方側から見た分解斜視図である。なお、図１〜図３では、説明の便宜上、プロジェクタ１の後方側から前方側に向かう方向をＸ軸とし、このＸ軸に直交する２軸をそれぞれＹ軸（水平軸）およびＺ軸（垂直軸）とする。以下の図面についても同様である。
【００１７】
プロジェクタ１は、図１〜図３に示すように、光源から射出された光を、入力される画像情報に応じて変調して光学像を形成し、形成した光学像を拡大投射するプロジェクタ本体２と、プロジェクタ本体２に画像情報を出力するＤＶＤプレーヤー３と、プロジェクタ本体２およびＤＶＤプレーヤー３を回転自在に連結させる連結機構４と、プロジェクタ本体２およびＤＶＤプレーヤー３の回転を規制する回転規制機構５と、プロジェクタ本体２およびＤＶＤプレーヤー３の回転位置を検出するための回転位置検出手段６（図４参照）とを備える。なお、回転位置検出手段６およびプロジェクタ１の内部構成については後に詳述する。
【００１８】
プロジェクタ本体２は、図１および図２に示すように、ＤＶＤプレーヤー３の上方側（＋Ｚ軸方向側）に載置され、略直方体状に形成された上方側筐体２１と、上方側筐体２１の前面（＋Ｘ軸方向側の面）に露出する投射レンズ２２と、上方側筐体２１の上面（＋Ｚ軸方向側の面）の後方側（−Ｘ軸方向側）に設けられた操作パネル２３とを備える。この操作パネル２３は、プロジェクタ１の起動・調整等の操作およびＤＶＤプレーヤー３の再生・停止等の操作を実施するためのものである。ＤＶＤプレーヤー３は、このＤＶＤ操作パネル２３が操作されることで、ＤＶＤプレーヤー３に挿入されたＤＶＤ等の記録媒体に記録された画像情報や、音声情報等の再生・停止等を実施する。
【００１９】
画像出力装置としてのＤＶＤプレーヤー３は、ＤＶＤ等の記録媒体を再生することで、記録媒体に記録された画像情報を、画像ケーブル（図示略）を介してプロジェクタ本体２に出力するものである。このＤＶＤプレーヤー３は、図１および図２に示すように、プロジェクタ本体２の下方側（−Ｚ軸方向側）に配置され、略直方体状に形成された下方側筐体３１と、下方側筐体３１の前面の略中央部分に設けられたＤＶＤ挿抜口３２と、ＤＶＤ挿抜口３２の下方側に設けられたＤＶＤ動作表示部３３と、下方側筐体３１の背面（−Ｘ軸方向側の面）に設けられたインタフェースカバー３４およびインレットコネクタ３５とを備える。
【００２０】
操作部としてのＤＶＤ挿抜口３２は、ＤＶＤ等の記録媒体が挿抜されるスロットインタイプの挿抜口であり、ＤＶＤプレーヤー３は、このＤＶＤ挿抜口３２に挿入された記録媒体に記録された画像情報や、音声情報等を再生する。また、ＤＶＤ挿抜口３２の側方には、記録媒体を排出する為の排出スイッチ３２Ａが取り付けられている。
ＤＶＤ動作表示部３３は、ＤＶＤプレーヤー３の再生・停止等の状態を表示する部分であり、使用者は、このＤＶＤ動作表示部３３を見ることで記録媒体の再生・停止等の状態を確認することができる。
【００２１】
インタフェースカバー３４の内部には、図示は省略するが、例えば、プロジェクタ１に外部から画像情報を入力するための画像入力端子などの各種インタフェースコネクタが設けられており、インタフェースカバー３４は、これらのインタフェースコネクタを保護する。そして、このインタフェースカバー３４を開放することで、各種インタフェースコネクタを利用することができる。なお、インタフェースカバー３４は省略してもよい。
インレットコネクタ３５は、ＡＣ電源ケーブルを外部から接続するためのコネクタであり、インタフェースカバー３４に覆われることなく露出している。
【００２２】
連結機構４は、図３に示すように、プロジェクタ本体２の底板２４に固定される板状部材４１と、この板状部材４１に固定されるとともに、ＤＶＤプレーヤー３の天板３６に回転自在に取り付けられる回転部材４２と、この回転部材４２を天板３６に取り付ける複数の分割円環部材４３とを備える。
なお、図３では、上方側筐体２１から露出する投射レンズ２２（図１参照）や、下方側筐体３１に設けられたＤＶＤ挿抜口３２（図１参照）等の各部については図示を省略している。
【００２３】
板状部材４１は、平面視略十字形状に形成される板状の部材であり、略直交して四方に延出する４つの端部を有している。この板状部材４１の略中央位置には、回転部材４２が複数のネジにて固定されている。
回転部材４２は、略円筒形状の回転部材本体４２１と、この回転部材本体４２１の天板３６側の一端に軸方向と略直交して外側に向かって延出して設けられる延出部４２２を備える。
ここで、天板３６には、プレス成形等により、上方側に向かって突出する略円盤状の台座３６１が略中央位置に形成され、台座３６１における略中央位置には、略円形の開口部３６１Ａが形成されている。そして、回転部材４２は、板状部材４１に固定された状態で開口部３６１Ａに上方側から挿通される。
【００２４】
分割円環部材４３は、回転部材本体４２１の外径と略同じ内径を有する平板状の円環部材を２つの部分に分割した部材であり、回転部材４２が開口部３６１Ａに挿通した状態における天板３６と、延出部４２２との間隙と略同じ厚さに形成されている。
そして、分割円環部材４３は、天板３６と、延出部４２２との間隙に回転部材本体４２１を挟み込むように挿入され、複数のネジにて天板３６に固定されている。また、天板３６は、複数のネジにて下方側筐体３１に固定される。
【００２５】
回転規制機構５は、台座３６１の周縁における右側面側（＋Ｙ軸方向側）および左側面側（−Ｙ軸方向側）の２箇所位置に、上方側に向かって突出するように折り曲げ加工されたストッパ部５１Ａ，５１Ｂと、前面側（＋Ｘ軸方向側）および背面側（−Ｘ軸方向側）の２箇所位置に取り付けられたクリックバネ５２Ａ，５２Ｂとを備える。
ストッパ部５１Ａ，５１Ｂは、板状部材４１に当接することで、板状部材４１の所定方向への回転を規制する。具体的に、ストッパ部５１Ａは、プロジェクタ本体２における投射レンズ２２と、ＤＶＤプレーヤー３におけるＤＶＤ挿抜口３２とが同側にある状態、すなわち、図１〜図３の状態において、板状部材４１に当接し、上方側から見て時計回り方向（図３中矢印Ａ）への板状部材４１の回転を規制する。また、ストッパ部５１Ｂは、投射レンズ２２と、ＤＶＤ挿抜口３２とが反対側にある状態において、板状部材４１に当接し、反時計回り方向（図３中矢印Ｂ）への板状部材４１の回転を規制する。
【００２６】
クリックバネ５２Ａ，５２Ｂは、板状部材４１がストッパ部５１Ａ，５１Ｂに当接した際に、ストッパ部５１Ａ，５１Ｂにより規制される所定方向の回転とは逆方向の回転に対する抗力を板状部材４１に付加する。
したがって、板状部材４１を、ストッパ部５１Ａ，５１Ｂから離間させる方向に回転させるためには、クリックバネ５２Ａ，５２Ｂにより付加される抗力よりも大きな力を加える必要がある。すなわち、クリックバネ５２Ａ，５２Ｂにより、板状部材４１は、ストッパ部５１Ａ，５１Ｂに当接した状態で静止する。なお、本実施形態では、板状部材４１がストッパ部５１Ａに当接した状態の静止位置を第１投射位置（図１〜図３参照）とし、ストッパ部５１Ｂに当接した状態の静止位置を第２投射位置とする。
【００２７】
〔回転位置検出手段の構成〕
図４は、プロジェクタ１が第１投射位置で静止している状態において、天板３６を下方側から見た図である。
回転位置検出手段６は、図４に示すように、各分割円環部材４３の略中央位置に取り付けられる平面視略矩形状のスイッチ６１Ａ，６１Ｂと、台座３６１に取り付けられ、スイッチ６１Ａ，６１Ｂの導通および非導通を検出するためのスイッチ用基板６２とを備える。
【００２８】
スイッチ６１Ａ，６１Ｂは、回転部材４２および天板３６、すなわち、プロジェクタ本体２およびＤＶＤプレーヤー３の相対回転の方向に沿って設けられ、プロジェクタ本体２およびＤＶＤプレーヤー３の回転位置を検出するためのものである。このスイッチ６１Ａ，６１Ｂの隅部には、このスイッチ６１Ａ，６１Ｂにおける対角線の略延長線上に外側に向かって突出するように軸部６１１が設けられている。軸部６１１は、スイッチ６１Ａ，６１Ｂの隅部を中心として回動自在とされ、スイッチ６１Ａ，６１Ｂの隅部を中心として回転部材４２側に付勢されている。なお、スイッチ６１Ａ，６１Ｂは、軸部６１１に負荷が加えられていない状態においては導通しない（図４中スイッチ６１Ｂの状態）。また、スイッチ６１Ａ，６１Ｂは、軸部６１１に負荷が加えられ、軸部６１１がスイッチ６１Ａ，６１Ｂの回転部材４２側の側面と略平行となるように押し込まれると導通する（図４中スイッチ６１Ａの状態）。
【００２９】
回転部材４２の延出部４２２には、プロジェクタ１が第１投射位置で静止している状態において、クリックバネ５２Ａ側に突出する突出部４２２Ａが形成されている。この突出部４２２Ａは、プロジェクタ１が第１投射位置で静止している状態においては、スイッチ６１Ａの軸部６１１に負荷を加え、プロジェクタ１が第２投射位置で静止している状態においては、スイッチ６１Ｂの軸部６１１に負荷を加える位置に形成されている。
【００３０】
すなわち、プロジェクタ１が第１投射位置で静止している状態においては、スイッチ６１Ａは導通状態となり、スイッチ６１Ｂは、非導通状態となる。一方、プロジェクタ１が第２投射位置で静止している状態においては、スイッチ６１Ａは、非導通状態となり、スイッチ６１Ｂは、導通状態となる。したがって、スイッチ６１Ａ，６１Ｂは、プロジェクタ本体２およびＤＶＤプレーヤー３が第１投射位置または第２投射位置にあるか否かを、それぞれ検出する。
スイッチ用基板６２は、スイッチ６１Ａ，６１Ｂの導通（ＯＮ状態）および非導通（ＯＦＦ状態）を検出するための回路基板であり、後述する制御手段２７により制御される。そして、スイッチ用基板６２は、検出したＯＮまたはＯＦＦの各状態を制御手段２７に出力する。
【００３１】
〔プロジェクタの内部構成〕
図５は、プロジェクタ１の内部構成を示すブロック図である。
プロジェクタ本体２は、図５に示すように、画像投射手段２５と、画像処理手段２６と、制御手段２７とで概略構成されている。
画像投射手段２５は、光源から射出される光を画像情報に応じて変調して光学像を形成し、形成した光学像をスクリーンＳｃ等の投射面に拡大投射するものである。この画像投射手段２５は、光源装置２５１と、液晶パネル２５２と、前述した投射レンズ２２とを備える。
【００３２】
光源装置２５１は、高圧放電ランプにて構成される光源ランプ２５３を備え、光源ランプ２５３は、光を液晶パネル２５２に向けて射出する。なお、光源装置２５１は、光源ランプ２５３に代えて、発光ダイオード、レーザダイオード、有機ＥＬ素子等の各種自己発光素子を備えていてもよい。
光変調装置としての液晶パネル２５２は、透過型の液晶パネルであり、画像情報に基づいて、液晶セル（図示略）に封入された液晶分子の配列を変化させ、光源ランプ２５３から射出された光を、透過若しくは遮断することにより画像データに応じて変調して光学像を形成し、この光学像を投射レンズ２２に射出する。
【００３３】
投射光学装置としての投射レンズ２２は、筒状の鏡筒（図示略）内にズームレンズ２２１を含む複数のレンズが収納された組レンズとして構成され、液晶パネル２５２から射出された光学像をスクリーンＳｃに向けて拡大投射するものであり、ズームレンズ２２１を駆動するレンズ駆動部を備えている。そして、スクリーンＳｃには、射出された光学像に基づく表示画像が表示される。
【００３４】
ズームレンズ２２１は、図示しないズームリングにより支持され、このズームリングをズームレンズ２２１の光軸を回転中心として回転させることにより、鏡筒内を光軸方向に移動する。これにより、ズームレンズ２２１は、投射レンズ２２から射出される光学像の画角を調整する。具体的には、ズームレンズ２２１を液晶パネル２５２側に移動させることにより、光学像の画角が大きくなるように、すなわち、表示画像が大きくなるように調整することができ、スクリーンＳｃ側に移動させることにより、光学像の画角が小さくなるように、すなわち、表示画像が小さくなるように調整することができる。
画角調整手段としてのレンズ駆動部２２２は、例えば、パルスモータ等により構成され、制御手段２７による制御の下、ズームレンズ２２１のズームリングを回転駆動することにより、ズームレンズ２２１を光軸方向に移動させてズームレンズ２２１の鏡筒内における相対位置を変更する。
【００３５】
なお、図示は省略したが、プロジェクタ本体２は、光源ランプ２５３から射出される光をＲＧＢ（Red Green Blue）の３色の光に分離する色光分離光学装置を備えている。また、前述した液晶パネル２５２は、色光分離光学装置にて分離されたＲＧＢの３色に対応して設けられている。さらに、プロジェクタ本体２は、３色の光学像を合成してカラー画像を表す光学像を生成する合成光学装置を備えている。
【００３６】
画像処理手段２６は、ＤＶＤ等の記録媒体に記憶された画像情報に対して画像処理を行い、処理された画像情報を液晶パネル２５２に出力する。
画像処理としては、例えば、ＤＶＤ等の記録媒体に記憶された画像情報を拡大または縮小させて液晶パネル２５２に入力することにより、スクリーンＳｃ上に表示される画像を拡大または縮小する電子ズームや、プロジェクタ１とスクリーンＳｃとの配置関係に起因して生じる台形歪みを補正する台形補正などが挙げられる。
【００３７】
制御手段２７は、例えば、ＣＰＵ（Central Processing Unit））等を含んで構成され、プロジェクタ１を制御する。この制御手段２７は、回転位置判定部２７１と、画角制御部２７２とを備える。
回転位置判定部２７１は、スイッチ用基板６２から出力されるスイッチ６１Ａ，６１ＢのＯＮまたはＯＦＦの各状態に基づいて、プロジェクタ本体２およびＤＶＤプレーヤー３が第１投射位置または第２投射位置にあるか否かを判定する。
【００３８】
画角制御部２７２は、回転位置判定部２７１による判定結果に基づいて、すなわち、回転位置検出手段６による検出結果に応じて、投射レンズ２２から射出される光学像の画角をレンズ駆動部２２２に調整させる。
具体的に、画角制御部２７２は、レンズ駆動部２２２に対して制御信号を出力することで、ズームレンズ２２１の鏡筒内における相対位置を変更させる。これにより、ズームレンズ２２１は、鏡筒内を光軸方向に移動し、投射レンズ２２から射出される光学像の画角が調整される。
【００３９】
〔プロジェクタの制御処理〕
図６は、プロジェクタ１の制御処理を示すフローチャートである。
プロジェクタ１は、電源ボタンが押下されると、画像情報に応じて形成された光学像をスクリーンＳｃに向けて拡大投射するとともに、以下の制御処理を実行する。
まず、回転位置判定部２７１は、スイッチ用基板６２から出力されるスイッチ６１Ａ，６１ＢのＯＮまたはＯＦＦの各状態を監視することで、プロジェクタ本体２およびＤＶＤプレーヤー３の回転位置を判定する（ステップＳ１：回転位置判定ステップ）。具体的に、回転位置判定部２７１は、スイッチ６１ＡがＯＮ状態であり、スイッチ６１ＢがＯＦＦ状態である場合を、プロジェクタ１が第１投射位置で静止している状態であると判定する。また、回転位置判定部２７１は、スイッチ６１ＡがＯＦＦ状態であり、スイッチ６１ＢがＯＮ状態である場合を、プロジェクタ１が第２投射位置で静止している状態であると判定する。
【００４０】
回転位置判定ステップＳ１により、プロジェクタ１が第１投射位置または第２投射位置で静止している状態であると判定されると、画角制御部２７２は、回転位置判定部２７１による判定結果に基づいて、投射レンズ２２から射出される光学像の画角をレンズ駆動部２２２に調整させる（ステップＳ２：画角制御ステップ）。
具体的に、回転位置判定ステップＳ１により、プロジェクタ１が第１投射位置で静止している状態であると判定されると、画角制御部２７２は、レンズ駆動部２２２に対して制御信号を出力することで、ズームレンズ２２１の鏡筒内における相対位置をスクリーンＳｃ側に移動させ、光学像の画角が最小となるように調整させる（テレ端）。一方、回転位置判定ステップＳ１により、プロジェクタ１が第２投射位置で静止している状態であると判定されると、画角制御部２７２は、レンズ駆動部２２２に対して制御信号を出力することで、ズームレンズ２２１の鏡筒内における相対位置を液晶パネル２５２側に移動させ、光学像の画角が最大となるように調整させる（ワイド端）。
以上のステップＳ１〜Ｓ２を実行することにより、プロジェクタ１の制御処理が実行される。
【００４１】
ここで、図７は、プロジェクタ１が第１投射位置および第２投射位置で静止している状態におけるスクリーンＳｃと、投射レンズ２２と、ＤＶＤ挿抜口３２と、プロジェクタ１の使用者の位置関係を示す模式図である。なお、図７において、プロジェクタ１の使用者は丸印で示されている。
図７（Ａ）は、プロジェクタ１が第１投射位置で静止している状態を示す図であり、この状態においては、投射レンズ２２と、ＤＶＤ挿抜口３２とは同側にある。また、図７（Ｂ）は、プロジェクタ１が第２投射位置で静止している状態を示す図であり、この状態においては、投射レンズ２２と、ＤＶＤ挿抜口３２とは反対側にある。
【００４２】
ここで、プロジェクタ１が第１投射位置で静止している状態においては、ＤＶＤ挿抜口３２は、投射レンズ２２と同側にあるので、使用者は、プロジェクタ１とスクリーンＳｃとの間でプロジェクタ１を使用するものと考えられる（図７（Ａ））。また、プロジェクタ１が第２投射位置で静止している状態においては、ＤＶＤ挿抜口３２は、投射レンズ２２と反対側にあるので、使用者は、プロジェクタ１とスクリーンＳｃとの間でプロジェクタ１を使用するものと考えられる（図７（Ｂ））。
【００４３】
したがって、プロジェクタ１およびスクリーンＳｃの間の距離は、プロジェクタ１が第１投射位置で静止している状態においては遠くなり、プロジェクタ１が第２投射位置で静止している状態においては近くなる。
そして、プロジェクタ１が第１投射位置で静止している状態においては、画角制御部２７２は、光学像の画角αが最小となるように調整させる（図７（Ａ））。また、プロジェクタ１が第２投射位置で静止している状態においては、画角制御部２７２は、光学像の画角αが最大となるように調整させる（図７（Ｂ））。
【００４４】
本実施形態に係るプロジェクタ１によれば、次のような効果がある。
（１）プロジェクタ１は、第１投射位置および第２投射位置を検出する回転位置検出手段６による検出結果に応じて、光学像の画角を調整させる画角制御部２７２を備えるので、使用者は、光学像の画角調整をする手間を省くことができ、プロジェクタ本体２およびＤＶＤプレーヤー３が相対回転した場合においても、容易に表示画像を投射面全体に表示させるための光学像の画角調整をすることができる。
【００４５】
（２）プロジェクタ本体２およびＤＶＤプレーヤー３が第１投射位置にあると検出されたときに光学像の画角αが最小となるので、スクリーンＳｃ上に表示される表示画像は、最も小さい表示画像となる。したがって、使用者は、表示画像を見ながら光学像の画角αをわずかに大きくするだけで容易に表示画像を投射面全体に表示させることができる。また、プロジェクタ本体２およびＤＶＤプレーヤーが第２投射位置にあると検出されたときに光学像の画角αが最大となるので、スクリーンＳｃ上に表示される表示画像は、最も大きい表示画像となる。したがって、使用者は、表示画像を見ながら光学像の画角αをわずかに小さくするだけで容易に表示画像を投射面全体に表示させることができる。
【００４６】
（３）投射レンズ２２は、鏡筒内を光軸方向に沿って移動することで、光学像の画角を調整するズームレンズ２２１を備え、レンズ駆動部２２２は、このズームレンズ２２１を移動させることで、光学像の画角を調整させるので、電子ズームにて光学像の画角を調整させる場合と比較して、光変調装置の画像形成領域全体を有効に利用することができ、スクリーンＳｃ上に表示される表示画像の解像度を高くすることができる。
【００４７】
〔実施形態の変形〕
なお、本発明は前記実施形態に限定されるものではなく、本発明の目的を達成できる範囲での変形、改良等は本発明に含まれるものである。
前記実施形態では、２つのスイッチ６１Ａ，６１Ｂは、第１投射位置および第２投射位置を検出していたが、これ以外の回転位置を検出する位置に設けてもよい。要するに、プロジェクタおよび投射面の間の距離が変わるような回転位置を検出する位置に設ければよい。
前記実施形態では、回転位置検出手段は、プロジェクタ本体２およびＤＶＤプレーヤー３の相対回転の方向に沿って設けられる２つのスイッチ６１Ａ，６１Ｂにより構成されていたが、２つ以上のスイッチを用いてもよい。また、スイッチ６１Ａ，６１Ｂに代えて、例えば、光学式のセンサや、ロータリーエンコーダなどを用いて回転位置を検出してもよい。要するに、回転位置検出手段は、プロジェクタ本体および画像出力手段の回転位置を検出するものであればよい。
【００４８】
前記実施形態では、プロジェクタ１が第１投射位置で静止しているときに、光学像の画角が最小となるように調整させ、第２投射位置で静止しているときに、光学像の画角が最大となるように調整させていたが、これ以外の画角となるように調整してもよい。要するに、プロジェクタ本体および画像出力装置が回転した場合においても、使用者が容易に表示画像を投射面全体に表示させるための光学像の画角調整をすることができればよい。
前記実施形態では、画角調整手段は、ズームレンズ２２１の位置を移動させる、いわゆる光学ズームにて光学像の画角調整をするレンズ駆動部２２２により構成されていたが、例えば、画角調整手段を、画像処理手段２６により構成し、電子ズームにて光学像の画角調整をするように構成してもよい。要するに、画角調整手段は、投射光学装置から射出される光学像の画角を調整するものであればよい。
【００４９】
前記実施形態では、透過型の液晶パネル２５２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
前記各実施形態では、画像出力装置として、ＤＶＤプレーヤー３を例示したが、例えば、ビデオプレーヤーなどであってもよく、要するに、プロジェクタ本体に画像情報を出力するものであればよい。
【産業上の利用可能性】
【００５０】
本発明は、プロジェクタに利用でき、特に、プロジェクタ本体と、画像出力装置とを備えるプロジェクタに好適に利用することができる。
【図面の簡単な説明】
【００５１】
【図１】第１実施形態におけるプロジェクタを前方側から見た斜視図。
【図２】前記実施形態におけるプロジェクタを後方側から見た斜視図。
【図３】前記実施形態におけるプロジェクタを前方側から見た分解斜視図。
【図４】前記実施形態におけるプロジェクタが第１投射位置で静止している状態において、天板を下方側から見た図。
【図５】前記実施形態におけるプロジェクタの内部構成を示すブロック図。
【図６】前記実施形態におけるプロジェクタの制御処理を示すフローチャート。
【図７】前記実施形態におけるプロジェクタが第１投射位置および第２投射位置で静止している状態におけるスクリーンと、投射レンズと、ＤＶＤ挿抜口と、プロジェクタの使用者の位置関係を示す模式図。
【符号の説明】
【００５２】
１…プロジェクタ、２…プロジェクタ本体、３…ＤＶＤプレーヤー（画像出力装置）、４…連結機構、６…回転位置検出手段、２２…投射レンズ（投射光学装置）、２７…制御手段、３２…ＤＶＤ挿抜口、２２１…ズームレンズ、２２２…レンズ駆動部、２５２…液晶パネル（光変調装置）、２７２…画角制御部、Ｓ２…画角制御ステップ。
【図１】
2009025446.tif 000003
【図２】
2009025446.tif 000004
【図３】
2009025446.tif 000005
【図４】
2009025446.tif 000006
【図５】
2009025446.tif 000007
【図６】
2009025446.tif 000008
【図７】
2009025446.tif 000009